(57)【要約】【課題】本発明は、記録媒体用ディスクの収納ケースにおいて、冊子体の取出及び収納が簡単に行える記録媒体用ディスク収納ケースを提供することを目的とする。【解決手段】カバー体３の後壁１５は、前記側壁１４より低い位置で前記左右側壁１４，１４間を前方へ延長した適宜細幅の後方保持用タブ１９を形成して断面逆Ｌ字状となっている。また、前記後方保持用タブ１９と対向する開放前方側には、前記後方保持用タブ１９と同一又は異なる高さで、両側開放の適宜細幅の前方保持用タブ２０を断面逆Ｌ字状に形成している。冊子体Ｐ全体を綴じ部と同一方向を中心にして縦折り方向にたわませて前後の保持用タブ１９、２０の下に冊子体Ｐの左端及び右端をそれぞれ挿入し、冊子体Ｐの復元力でカバー体３に固定する。【選択図】  図５
2005015018.tif 000002
【特許請求の範囲】
【請求項１】
ＣＤ等のディスク状媒体を収納するボトムと、該ボトムを閉蓋するカバー体とから矩形状に構成された記録媒体用ディスク収納ケースにおいて、前記カバー体は、矩形の主面を構成する上壁を有し、該上壁の周囲の前方を除く三方に左右側壁、後壁を有し、該後壁には、前記側壁より低い位置で前記左右側壁間を前方へ延長した適宜細幅の後方保持用タブを形成し、該後方保持用タブと対向する開放前方側には、前記後方保持用タブと同一又は異なる高さで、両側開放の適宜細幅の前方保持用タブを断面逆Ｌ字状に形成して冊子体を保持する構成となっていることを特徴とする記録媒体用ディスク収納ケース。
【請求項２】
ＣＤ等のディスク状媒体を収納するボトムと、該ボトムを閉蓋するカバー体とから矩形状に構成された記録媒体用ディスク収納ケースにおいて、前記カバー体は、矩形の主面を構成する上壁を有し、該上壁の周囲の前方を除く三方に左右側壁、後壁を有し、該後壁には、前方へ延長した舌片状の後方保持用タブを上下に複数個形成し、該後方保持用タブと対向する開放前方側には、前記後方保持用タブと同一又は異なる高さで、舌片状の前方保持用タブを断面逆Ｌ字状に上下に複数個形成して冊子体を保持する構成となっていることを特徴とする記録媒体用ディスク収納ケース。
【発明の詳細な説明】
【０００１】
【発明の属する技術分野】
本発明は、記録媒体用ディスクの収納ケースにおいて、冊子体の取出及び収納が簡単に行える記録媒体用ディスク収納ケースに関する。
【０００２】
【従来の技術】
従来、ＣＤ（コンパクトディスク）等の記録媒体用の収納ケースにおいては、冊子体（リーフレット）はカバー体（上蓋）の先端部から回動自在部方向に挿入し半円形の保持片で固定し、さらに先端部におけるリブ（隆起）で先端部よりの滑脱を防ぐ構造となっている。
このような構造として、特開２００２−２９５８６号公報が公知となっている。
【特許文献１】
上記特開２００２−２９５８６号公報は、図６に示すように、蓋体２０は、角形の主面を構成する上壁２１を有し、上壁２１の周囲の三方に側壁２２、２２と後壁２３とを有し、本体の前面壁に対応する部分には側壁がなく、この側壁がない部分にはインデックスカード等の位置決めのためのリブ２３ａが形成されており、蓋体２０の側壁部分２２ｃには保持片２５が各側壁２２から上壁２１に対向して突き出るように２つずつ設けられ、上壁２１の内面２１ａとの間で隙間ｇでインデックスカード等を保持できるディスク状媒体収納ケースである。
インデックスカード等を取り出す際は、インデックスカード等と上蓋の間に指先を入れてインデックスカード等をつまみ、先端部のリブ（隆起）をインデックスカード等の右端（左綴じの場合）が乗り越えるようにしながら引き出さないとならないが、指を狭い隙間に挿入することが難しいため、結果としてインデックスカード等を取り出しにくく、またその際インデックスカード等の右端や角を折ったり、傷つけ易かった。
また収納時にも特にインデックスカード等が厚い場合入れ難いし、逆に薄い場合は滑落し易いという欠点があった。
【０００３】
【発明が解決しようとする課題】
そこで、本発明は、記録媒体用ディスクの収納ケースにおいて、冊子体の取出及び収納が簡単に行える記録媒体用ディスク収納ケースを提供することを目的とする。
【０００４】
【課題を解決するための手段】
本発明の記録媒体用ディスク収納ケースは、ＣＤ等のディスク状媒体を収納するボトムと、該ボトムを閉蓋するカバー体とから矩形状に構成された記録媒体用ディスク収納ケースにおいて、前記カバー体は、矩形の主面を構成する上壁を有し、該上壁の周囲の前方を除く三方に左右側壁、後壁を有し、該後壁には、前記側壁より低い位置で前記左右側壁間を前方へ延長した適宜細幅の後方保持用タブを形成し、該後方保持用タブと対向する開放前方側には、前記後方保持用タブと同一又は異なる高さで、両側開放の適宜細幅の前方保持用タブを断面逆Ｌ字状に形成して冊子体を保持する構成となっているものである。
また、本発明の記録媒体用ディスク収納ケースは、ＣＤ等のディスク状媒体を収納するボトムと、該ボトムを閉蓋するカバー体とから矩形状に構成された記録媒体用ディスク収納ケースにおいて、前記カバー体は、矩形の主面を構成する上壁を有し、該上壁の周囲の前方を除く三方に左右側壁、後壁を有し、該後壁には、前方へ延長した舌片状の後方保持用タブを上下に複数個形成し、該後方保持用タブと対向する開放前方側には、前記後方保持用タブと同一又は異なる高さで、舌片状の前方保持用タブを断面逆Ｌ字状に上下に複数個形成して冊子体を保持する構成となっているものである。
【０００５】
【実施例】
本発明の記録媒体用ディスク収納ケースの一実施例を図面に基づいて説明する。
図１、図２に示すように、本発明の記録媒体用ディスク収納ケース１は、ＣＤ等のディスク状媒体２２を収納するボトム２と、該ボトム２を閉蓋するカバー体３とから矩形状に構成され、前記ボトム２及びカバー体３はポリスチレン樹脂（ＰＣ）からそれぞれ射出成形等により一体形成される。
【０００６】
前記ボトム２は、矩形の主面を構成する底壁４を有し、該底壁４の周囲に前壁５、左右側壁６，６、後壁７とを有する。
前記底壁４の略中央にはディスク状媒体２２の中心孔を保持する弾性変形可能な爪を有する保持突起８が一体に突出形成されている。
また、前記ボトム２の後壁７は水平方向に延長し、さらに下方に折り曲げた後壁延長部９を設けて断面コ字状に形成され、かつ左右側壁６，６には前記後壁延長部９の側面を覆う側壁面１０が形成され、該側壁面１０には前記カバー体３の短支軸１８を回動可能に取り付ける嵌合穴１１が形成される。
また、前記左右側壁６，６の中央部にはディスク状媒体２２の着脱を容易にするために側壁６，６を完全に切除した切欠き部１２が設けられている。
【０００７】
前記カバー体３は、矩形の主面を構成する上壁１３を有し、該上壁１３の周囲の前方を除く三方に左右側壁１４，１４、後壁１５を有する。
前記左右側壁１４，１４は、前記ボトム２の側壁６，６の切欠き部１２に対応して中央部に高く形成された高い側壁部分１６を備えてなる。
前記カバー体３の後壁１５より後方側に突出する左右側壁１４，１４には、側壁延長部１７が形成され、該側壁延長部１７には前記ボトム２の嵌合穴１１に回動可能に取り付ける短支軸１８が内側に突き出るように形成される。
前記後壁１５は、前記側壁１４より低い位置で前記左右側壁１４，１４間を前方へ延長した適宜細幅の後方保持用タブ１９を形成して断面逆Ｌ字状となっている。
また、前記後方保持用タブ１９と対向する開放前方側には、前記後方保持用タブ１９と同一又は異なる高さで、両側開放の適宜細幅の前方保持用タブ２０を断面逆Ｌ字状に形成している。
なお、前記ボトム２とカバー体３は、前記ボトム２の嵌合穴１１と前記カバー体３の短支軸１８との嵌合により回転可能に枢着される。
【０００８】
本発明の記録媒体用ディスク収納ケース１の使用形態について、以下に説明する。
まず、右または左綴じの冊子体を綴じ部と同一方向を中心にして縦折り方向に弾性及び復元力を持つ材料で構成するものとし、さらにカバー体３においては左右側壁１４，１４に付けた側方保持用タブではなく前後方向に付けた後方保持用タブ１９及び前方保持用タブ２０の間に冊子体を保持する方式をとる。
この方式では冊子体は現在のように先端部より滑り込ませるのではなく、図５に示すように、冊子体Ｐ全体を綴じ部と同一方向を中心にして縦折り方向にたわませて前後の保持用タブ１９、２０の下に冊子体Ｐの左端及び右端をそれぞれ挿入し、冊子体Ｐの復元力でカバー体３に固定する。
冊子体Ｐを取り出すときは逆の要領で冊子体Ｐ全体を縦折り方向にたわませて片方ずつ冊子体Ｐの端を外せばよい。
冊子体が右または左綴じの場合、綴じ部は横折り方向、すなわち綴じ部分を２折り状に折り曲げる方向からたわませることは冊子体に折り目が生じるが困難であり、綴じ部分と同一方向を中心にして縦折り方向にたわませることは容易である。
この冊子体に特有な物理的性質は冊子体の材質にかかわらず当てはまり、特に弾性を持った紙または合成樹脂等で作成した場合はこの傾向が強い。
通常冊子体に用いられている紙でも十分な弾性と復元性を持つのでＣＤケースに用いる場合は、冊子体の材質変更は必要としない。
なお、もし冊子体が上または下で綴じる形態の場合は当然に保持用タブは左右側壁１４，１４に設置される。
【０００９】
本発明の記録媒体用ディスク収納ケース１’の他の実施例を図面に基づいて説明する。
図３、図４に示すように、本発明の記録媒体用ディスク収納ケース１’は、ＣＤ等のディスク状媒体を収納するボトム２と、該ボトム２を閉蓋するカバー体３とから矩形状に構成され、前記ボトム２及びカバー体３はポリスチレン樹脂（ＰＣ）からそれぞれ射出成形等により一体形成される。
【００１０】
前記ボトム２は、矩形の主面を構成する底壁（図示せず）を有し、該底壁４の周囲に前壁５、左右側壁６，６、後壁（図示せず）とを有する。
底壁（図示せず）には紙等で作られたイントレ（印刷物）が密着するように配置されて、イントレ（印刷物）の上にトレイ２１が取り付けられており、該トレイ２１の略中央にはディスク状媒体２２の中心孔を保持する弾性変形可能な爪を有する保持突起８が一体に突出形成されている。
前記左右側壁６，６の中央部にはディスク状媒体の着脱を容易にするために側壁６，６を完全に切除した切欠き部１２が設けられる。
また、前記トレイ２１の後壁７には水平方向に延長し、下方に折り曲げた後壁延長部９を設けて断面コ字状に形成され、さらに左右側壁６，６には前記後壁延長部９の側面を覆う側壁面１０が形成され、該側壁面１０には前記カバー体３の支軸を回動可能に取り付ける嵌合穴１１が形成される。
【００１１】
前記カバー体３は、矩形の主面を構成する上壁１３を有し、該上壁１３の周囲の前方を除く三方に左右側壁１４，１４、後壁１５を有する。
前記カバー体３の左右側壁１４，１４には、後壁１５より後方側に突出する側壁延長部１７が形成され、該側壁延長部１７には前記ボトム２の嵌合穴１１に回動可能に取り付ける短支軸１８が内側に突き出るように形成される。
前記後壁１５には、前方へ延長した舌片状の後方保持用タブ１９’を上下に２個形成し、冊子体を保持する構成となっている。
また、前記後方保持用タブ１９’と対向する開放前方側には、前記後方保持用タブ１９’と同一又は異なる高さで、舌片状の前方保持用タブ２０’を上下に２個形成して冊子体を保持する構成となっている。
なお、後方保持用タブ１９’及び前方保持用タブ２０’は、２個に限らず、２個以上設けることも可能である。
そして、図５に示すものと同様に、この方式では冊子体は現在のように先端部より滑り込ませるのではなく、冊子体全体を綴じ部と同一方向を中心にして縦折り方向にたわませて前後の保持用タブ１９’、２０’の下に冊子体の左端及び右端をそれぞれ挿入し、冊子体の復元力でカバー体３に固定する。
冊子体を取り出すときは逆の要領で冊子体全体を縦折り方向にたわませて片方ずつ冊子体の端を外せばよい。
【００１２】
【効果】
以上述べた如く、本発明の記録媒体用ディスク収納ケースは、冊子体の取り出し、収納は極めて容易になり、冊子体への損傷も少ない。
現在一般に使用されている収納ケースでは冊子体が薄い場合は、リブを乗り越えて先端から滑落する危険性があるが、本発明の記録媒体用ディスク収納ケースでは現在におけるよりも大幅に低下する。
また構造も簡単なため製造コストも現在のものよりも大きく上昇することはなく、利便性及び実現性は高い。
【図面の簡単な説明】
【図１】本発明に係る記録媒体用ディスク収納ケースを開いた状態の分解斜視図である。
【図２】本発明に係る記録媒体用ディスク収納ケースを開いた状態の平面図である。
【図３】本発明に係る記録媒体用ディスク収納ケースを開いた状態の他の実施例の分解斜視図である。
【図４】本発明に係る記録媒体用ディスク収納ケースを開いた状態の他の実施例の平面図である。
【図５】本発明に係る記録媒体用ディスク収納ケースの使用状態の説明図である。
【図６】従来のディスク状媒体収納ケース蓋体の平面図（ａ）及び断面図（ｂ）である。
【符号の説明】
１  記録媒体用ディスク収納ケース
２  ボトム
３  カバー体
４  底壁
５  前壁
６  側壁
７  後壁
８  保持突起
９  後壁延長部
１０側壁面
１１嵌合穴
１２切欠き部
１３上壁
１４側壁
１５後壁
１６高い側壁部分
１７側壁延長部
１８短支軸
１９後方保持用タブ
２０前方保持用タブ
２１トレイ
２２ディスク状媒体
【図１】
2005015018.tif 000003
【図２】
2005015018.tif 000004
【図３】
2005015018.tif 000005
【図４】
2005015018.tif 000006
【図５】
2005015018.tif 000007
【図６】
2005015018.tif 000008